(57)【要約】【課題】従来の携帯機器では、動画像ファイルの一部を別ファイルとして保存する際、表示部に動画像データのどの範囲を切り出すかの表示がされず、使用者にとって、可視的に判断しづらいという問題があった。【解決手段】本発明の携帯機器では、例えば、携帯電話機１の表示部１７に動画像を表示するのと同時に、再生バー３１を表示する。そして、再生バー３１の全長は総再生時間を示し、再生バー３１は、切り出し始点設定位置３７を境界として、その表示色または表示幅を変更して表示される。そのことで、使用者は、その表示色または表示幅を変更している始点、範囲を見て、動画像の切り出し箇所、切り出し時間等を可視的に、容易に判断することができる。【選択図】    図５
2004297399.tif 000002
【特許請求の範囲】
【請求項１】
時系列に沿って一連の動画像データを記憶する動画像記憶手段と、
該動画像記憶手段から前記動画像データを読み込み、再生する動画像再生手段と、
前記動画像データを表示する表示手段とを備えた携帯機器において、
前記一連の動画像データから所望の範囲の新たな動画像データを作成する動画像切り出し手段と、
該動画像切り出し手段における前記動画像データの切り出し始点及び切り出し終点を指示する動画像切り出し範囲指定手段とを具備することを特徴とする携帯機器。
【請求項２】
前記動画像再生手段により前記表示手段に前記動画像データを表示する際に、前記表示手段に前記動画像データの再生時間を示すスケール表示体を表示するスケール表示手段とを具備し、
該スケール表示手段は、前記動画像切り出し範囲指定手段の前記切り出し始点を基点として前記スケール表示体の表示方法を変更することを特徴とする請求項１に記載の携帯機器。
【請求項３】
前記スケール表示手段は、前記スケール表示体に前記動画像データの再生範囲を表示し、且つ、該動画像データの再生範囲内の前記動画像データの切り出し範囲を可視的に区別して表示することを特徴とする請求項２に記載の携帯機器。
【請求項４】
前記スケール表示手段は、前記スケール表示体に前記動画像データの切り出し範囲の表示色を変更して示すことを特徴とする請求項３に記載の携帯機器。
【請求項５】
前記スケール表示手段は、前記スケール表示体に前記動画像データの切り出し範囲の前記スケール表示体の形状を変更して示すことを特徴とする請求項３に記載の携帯機器。
【請求項６】
前記動画像切り出し手段は、同一の前記動画像データに対し複数回行うことを特徴とする請求項１から請求項５のいずれかに記載の携帯機器。
【発明の詳細な説明】
【０００１】
【発明の属する技術分野】
本発明は、動画像切り出し機能を有し、所望の動画像を切り出す際、動画像の再生範囲に対しその切り出し範囲を可視的に表示する携帯機器に関する。
【０００２】
【従来の技術】
近年、携帯機器は小型化、高機能化が進んでいる。例えば、携帯電話機では、画面が大型化し、大量の文字情報や画像を表示出来るようになっている。
【０００３】
すなわち、携帯機器において表示画面が大型化し、多くの情報を表示出来るようになると共に、カラー化により画像の表示においても充分実用となるに従い、単なる文字の表示だけでなく、文字と画像を表示することが要望されている。
【０００４】
一方、最近の携帯電話機の中には、撮像レンズおよび入力光を電気信号に変換する撮像素子を備えるカメラが搭載されたいわゆるカメラ付携帯電話機があり、このカメラ付携帯電話機では、記憶容量、画像表示サイズ、カメラの解像度および処理能力が向上している。
【０００５】
最近の、携帯電話機では、使用者の携帯電話機のカメラ機能を用いて、動画像データを取得することが出来、また、取得した動画像データをメールに添付して希望の相手先に送信することも出来る。
【０００６】
例えば、従来のビデオテープレコーダでは、時系列に沿って一連の動画像が記憶された動画像記憶媒体から動画像を再生して、表示画面上に表示する動画像再生装置を有する。そして、一連の動画像から時系列に沿って所定の抽出タイミングで抽出された複数のインデックス画像は動画像記憶媒体上の記憶位置に各々対応付けてインデックス画像記憶手段に記憶される。また、動画像記憶媒体の記録範囲を示すスケールは、表示画面上に表示される。そして、上記インデックス画像は上記スケールの抽出された箇所に対応するように関連つけて表示画面上に表示される。使用者は、上記インデックス画像を確認しながら、上記動画像の再生箇所を指定出来るので、従来のビデオテープレコーダでは、動画像の検索状況を視覚的に直感的に把握することを可能としている（例えば、特許文献１参照）。
【０００７】
また、例えば、従来のＤＶＤビデオプレーヤーでは、画面に総再生時間を示す棒状のスケールを表示し、そのスケールに現再生位置を色で識別して表示することで、視覚的に、瞬時に再生終了分（或いは再生未終了分）把握することを可能としている（例えば、特許文献２参照）。
【０００８】
また、例えば、従来の情報再生制御装置では、表示部に総再生時間（再生所用時間）及びこれに対応する再生位置を示している。つまり、現在再生中のタイトルの総再生時間を基準量としてグラフ表示することで、希望する再生箇所や現在の再生箇所をタイトルの総再生時間を基準としてより直感的に把握することを可能としている（例えば、特許文献３参照。）。
【０００９】
【特許文献１】
特開平６−１５３１３０号公報（第１５−３０頁、第９−２０図）
【特許文献２】
特開平１１−２７３３２０号公報（第２１−２３頁、第１１−１３図）
【特許文献３】
特開平９−６３１７６号公報（第８−１５頁、第２−８図）
【００１０】
【発明が解決しようとする課題】
従来の携帯機器、例えば、カメラ付携帯電話機では、実機のデジタルビデオモードを用いて動画像データを取得し、または、メールなどで受信し動画像データを取得し、それらの動画像データをメモリ内に記憶する。そして、使用者は、それらの動画像データを実機の表示部に表示させることで所望の動画像を鑑賞することができる。しかしながら、従来のカメラ付携帯電話機では、表示部に表示された動画像を鑑賞することは出来るが、使用者は、その動画像の所望の範囲を切り出す等の動画像を編集する事が出来ないという問題があった。
【００１１】
また、従来のカメラ付携帯電話機では、動画像データの現在の再生位置を可視的に分かるようにするため、例えば、棒状のスケールを表示し、総再生時間を基準とした現在の再生位置を示している。しかしながら、従来のカメラ付携帯電話機において、総再生時間を基準とした現在の再生位置を示すだけでは、動画像のどの範囲を切り出しているかを可視的に判断することができない。そのため、使用者は、動画像のどの位置から切り出しているかの切り出し始点を可視的に判断できず、また、動画像の切り出している所用時間を可視的に判断できないという問題があった。
【００１２】
本発明は、携帯機器の表示部に、例えば、棒状の再生バーを表示し、動画像データの総再生時間を基準とし、現在の再生位置を可視的に示す。そして、一方、該棒状の再生バーに対し、該動画像データの切り出し始点から、色で識別する等の可視的な識別手段により、動画像データの総再生時間に対し、切り出し範囲を可視的に区別することで、使用者が容易にどの範囲の動画像データを切り出しているかを判断することを目的とする。
【００１３】
【課題を解決するための手段】
上述した各事情に鑑みて成されたものであり、本発明の携帯機器では、時系列に沿って一連の動画像データを記憶する動画像記憶手段と、該動画像記憶手段から前記動画像データを読み込み、再生する動画像再生手段と、前記動画像データを表示する表示手段とを備えた携帯機器において、前記一連の動画像データから所望の範囲の新たな動画像データを作成する動画像切り出し手段と、該動画像切り出し手段における前記動画像データの切り出し始点及び切り出し終点を指示する動画像切り出し範囲指定手段とを具備することを特徴とする。従って、本発明の携帯機器では、前記動画像切り出し手段を用いることで、時系列に沿って一連の動画像データの所望の範囲を別ファイルとして保存することができ、使用者の意図により動画像データの編集を行うことができる。
【００１４】
また、本発明の携帯機器では、前記動画像再生手段により前記表示手段に前記動画像データを表示する際に、前記表示手段に前記動画像データの再生時間を示すスケール表示体を表示するスケール表示手段とを具備し、該スケール表示手段は、前記動画像切り出し範囲指定手段の前記切り出し始点を基点として前記スケール表示体の表示方法を変更することを特徴とする。従って、本発明の携帯機器では、前記表示手段に前記動画像データの再生時間を示すスケール表示体を表示し、時系列に沿って一連の動画像データの所望の範囲を切り出す際に、切り出し始点を基点として、切り出し範囲の表示を変更して表示することで、可視的に判断することができる。
【００１５】
また、本発明の携帯機器では、前記スケール表示手段は、前記スケール表示体に前記動画像データの再生範囲を表示し、且つ、該動画像データの再生範囲内の前記動画像データの切り出し範囲を可視的に区別して表示することを特徴とする。従って、本発明の携帯機器では、スケール表示体において、前記動画像データの再生した範囲の中で、前記動画像データの切り出し範囲を可視的に区別する。そして、使用者が、前記動画像データに対し、どの範囲を、どれだけの所要時間切り出すかを容易に、可視的に判断することができる。
【００１６】
また、本発明の携帯機器では、前記スケール表示手段は、前記スケール表示体に前記動画像データの切り出し範囲の表示色を変更して示すことを特徴とする。従って、本発明の携帯機器では、スケール表示体において、前記動画像データの再生した範囲と前記動画像データの切り出し範囲とを色で識別し、区別することができる。
【００１７】
また、本発明の携帯機器では、前記スケール表示手段は、前記スケール表示体に前記動画像データの切り出し範囲の前記スケール表示体の形状を変更して示すことを特徴とする。従って、本発明の携帯機器では、スケール表示体において、前記動画像データの再生した範囲と前記動画像データの切り出し範囲とをスケール表示体の形状、例えば、その幅を変えることで区別することができる。
【００１８】
また、本発明の携帯機器では、前記動画像切り出し手段は、同一の前記動画像データに対し複数回行うことを特徴とする。従って、本発明の携帯機器では、１つの動画像データに対し、複数箇所の切り出すことができる。
【００１９】
【発明の実施の形態】
以下に、本発明における一実施の形態について、図１〜図７を参照にして詳細に説明する。本発明は、任意の携帯機器に適用できるが、以下では、好適な実施の形態として、折り畳み可能なカメラ付携帯電話機１（以下、携帯電話機と呼ぶ。）について説明する。尚、以下では折り畳み可能な携帯電話機が示されているが、この形態に限定されるものではなく、例えば、ストレート式の携帯電話機の場合でも良い。また、カメラ機能が搭載されていない場合でも良い。
【００２０】
先ず、図１は本発明の一実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。
【００２１】
図１（Ａ）及び（Ｂ）に示す如く、例えば、スピーカ２は携帯電話機１の蓋部内側の上方中央に、マイク３は本体部内側の下方中央にそれぞれ配置されている。また、キー操作部１８は、撮影を行うためのシャッターキー１８１、カメラモードを起動させるカメラキー１８２、電源投入するための電源キー１８３、メールモードを起動させるメールキー１８４、通話モードを起動させる通話キー１８５、十字キー１８６、数字・文字キー等から構成されている。
【００２２】
そして、表示部１７は、スピーカ２が配置されている蓋部内側に四角形状で配置されており、第２表示部４は四角い形状で蓋部外側の中央付近に配置されいる。更に、撮像部１２は、蓋部外側のヒンジ近くの中央付近に配置され、閉じた状態でも第２表示部４で被写体を確認しながら撮影ができる。また、背面キー５は第２表示部４の下方に配され、閉じた状態でシャッタキーとして使用され、使用者が自らを撮影するのに適している。一方、開いた状態で撮影する場合は、表示部１７あるいは第２表示部４で被写体を確認しながら、キー操作部１８のシャッタキー１８１を押下することで撮影することができる。
【００２３】
図２に示す如く、本実施の形態の携帯電話機１は、主に、制御部１１、撮像部１２、画像処理部１３、第１メモリ１４、第２メモリ１５、表示ドライバ部１６、表示部１７、キー操作部１８、撮影指示実行ボタン１９、バックライト２０、画像圧縮処理部２１、画像伸張処理部２２、外部画像入力部２３、アンテナ２４、無線部２５、通信制御部２６、画像切り換え制御部２７、外部表示出力部２８を備えている。
【００２４】
制御部１１は、携帯電話機１を構成する各部位の動作を制御し、例えば、画像処理部１３、表示ドライバ部１６、画像圧縮処理部２１、画像伸張処理部２２等を制御する。撮像部１２は、撮像レンズと、ＣＣＤ（Ｃｈａｒｇｅ  Ｃｏｕｐｌｅｄ  Ｄｅｖｉｃｅ）イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの撮像素子と、ＲＧＢの３色のカラーフィルタとを備える。撮像部１２は、被写体で反射されて撮像レンズに入射した光を、カラーフィルタを通してＲＧＢの３色光にし、ＲＧＢの３色光をそれぞれ前記撮像素子によって電気信号に変換する。
【００２５】
画像処理部１３は、増幅部、Ａ／Ｄ（アナログ／デジタル）変換部、信号処理部からなる。増幅部は、撮像部１２から送られてくるＲＧＢに対応した電気信号を増幅し、Ａ／Ｄ変換部に送る。Ａ／Ｄ変換部は、増幅部で増幅されたＲＧＢに対応した電気信号（アナログ）をデジタル信号に変換して画像データを出力し、信号処理部に送る。信号処理部は、Ａ／Ｄ変換部から送られてくる画像データに対して、画素の補間処理などの信号処理を行う。また信号処理部は、制御部１１から送られてくる制御信号に基づいて、信号処理を施した画像データを第１メモリ１４に送る。
【００２６】
第１メモリ１４は、信号処理部から送られてくる画像データを記憶している。このとき、画像データは、画像切換え制御部２７を介して、直接、第１メモリ１４へと送られる場合と、画像圧縮処理部２１を介して所定の圧縮方式で圧縮処理をされた後に、送られる場合とがある。
【００２７】
制御部１１は、表示ドライバ部１６に制御信号を送信するとともに、第１メモリ１４に記憶された画像データを、表示ドライバ部１６に送る。このとき、制御部１１では、第１メモリ１４に圧縮して記憶されている画像データを表示ドライブ１６に送る際には、画像伸張処理部２２をも制御し、圧縮された画像データを伸張した後、表示ドライバ部１６に送る。
【００２８】
表示ドライバ部１６は、表示部１７に表示しようとする画像データに従って、表示部１７の各画素電極に対して駆動電圧を印加する。表示部１７は、液晶ディスプレイおよびＥＬ（Ｅｌｅｃｔｒｏ  Ｌｕｍｉｎｅｓｃｅｎｓｅ）ディスプレイなどで実現され、表示ドライバ部１６を介して送られてくる画像データに基づく画像を表示する。
【００２９】
バックライト２０は、発光素子である発光ダイオードなどから構成され、表示部１７を背面より照明する。バックライト２０の点灯、消灯の制御および輝度調整などの制御は、制御部１１によって行われる。尚、バックライト２０は、使用者によって消灯するための所定の操作が行われるまで点灯する構成としてもよいし、点灯してから所定時間が経過すると消灯する構成としてもよい。
【００３０】
キー操作部１８は、上述したように、数字および文字を入力するためのキーなどから構成される。
【００３１】
撮影指示実行ボタン１９は、動画像撮影時において、使用者が所望の動画像を撮影する際、その開始時及び終了時に押下される。そして、制御部１１は、撮影指示実行ボタン１９からの指示信号に応答して、画像圧縮処理部２１を介して第１メモリ１４に記憶されている画像データを、圧縮し、保存する。更に、第１メモリ１４は、アンテナ２４等を介して受信した各種受信データを記憶する。
【００３２】
画像圧縮処理部２１は、画像処理部１３、外部画像入力部２３、通信制御部２６から送られたそれぞれの画像データを所定の圧縮方式で圧縮処理をする。また、第１メモリ１４内に保存されている画像データの一部を所定の圧縮方式で圧縮処理をする。一方、画像伸張処理部２２は、第１メモリ１４、第２メモリ１５内に圧縮し、保存されている画像データを読み込み、伸張処理をする。
【００３３】
外部画像入力部２３は、携帯電話機１の外部で取得された画像データを携帯電話機１内へと取得する。例えば、画像データが保存されている外部メモリと携帯電話機１とを接続することで、画像データを取得できる。携帯電話機１自体は、その実機の大きさ、質量等の規制により、メモリ容量に限界があるが、外部メモリ等を用いることで、多種多様の画像データを取り扱うことができる。
【００３４】
アンテナ２４は、無線電波を介して基地局と無線通信を行うときに、音声データ、文字データおよび画像データなどを送受信する。無線部２５は、受信時は、基地局からアンテナ２４を介して受信したデータを復調し、送信時は、通信制御部２６から送られてくる文字データおよび画像データなどを変調して増幅し、アンテナ２４を介して基地局に送信する。通信制御部２６は、無線部２５が復調した文字データおよび画像データなどの受信データを所定の通信プロトコルに基づいて第１メモリ１４に送る。
【００３５】
画像切換え制御部２７は、画像データの取得時に、画像処理部１３、外部画像入力部２３及び通信制御部２６のどの経路から画像データが送られるかを切り換える。
【００３６】
外部表示出力部２８は、第１メモリ１４及び第２メモリ１５内に保存されている画像データを外部端末に送る際の出力部であり、例えば、赤外線、通信用ケーブル等の有線により行う。
【００３７】
また、本実施の形態における制御部１１内の再生バー表示手段は、第１メモリ１４に圧縮し、保存されている画像ファイルを読み出し、画像伸張処理部２２を介して表示ドライバ部１６へ伸張処理された画像データを送る際に、その画像ファイルに含まれたヘッダー情報を取得する。そして、制御部１１の再生バー表示手段は、取得したヘッダー情報等に基づき、選択された画像データの総再生時間を求め、表示部１７に画像と同時に再生バーを表示させる。また、制御部１１の再生バー表示手段は、その画像データの再生時においては、上述したヘッダー情報等に基づき、ある一定の計算式により、現在の再生位置のデータを生成し、再生バーにグラフ表示させる。
【００３８】
制御部１１内の画像切り出し手段は、使用者により選択された画像データに関し、使用者が指定した切り出し始点及び切り出し終点による所望の範囲の画像データを新たに作成する。そして、制御部１１内の画像切り出し手段は、その作成された画像データを画像圧縮処理部２１へ送り、圧縮処理をし、第２メモリ１５へと送り、第２メモリ１５内に保存させる。しかしながら、特に、このデータ処理方法に限定する必要は無く、例えば、使用者の指定した範囲外の画像データを消去し、所望の範囲のみの画像データを維持する処理方法によっても実現することができる。
【００３９】
尚、図１（Ｂ）では第２表示部４を示しているが、図２では第２表示部４及びそれに伴う表示ドライバ部及びバックライトは省略している。
【００４０】
次に、図３は本発明の携帯電話機の所望の動画像データからその一部の動画像データを作成する機能を説明するためのフローチャートであり、図４は同携帯電話機において、動画像を切り出す際の切り出し始点及び終点を説明するための図であり、図５は同携帯電話機において、動画像の再生時に表示される再生バーを説明するための図であり、図６は同携帯電話機において、使用者が指定した範囲の動画像を切り出す際の動作を説明するための図であり、図７は同携帯電話機において、動画像の再生時に表示される再生バーを説明するための図である。
【００４１】
本実施の形態では、図３に示す如く、使用者が携帯電話機１の動画像ファイルモードを用いて所望の動画像を選択し、表示部にその動画像を再生させる場合には、使用者はキー操作部１８を操作し動画像ファイルモードの起動を指示する。制御部１１は表示ドライバ部１６を制御し、表示部１７に動画像ファイルの代表静止画像の一覧表示画面を表示させる（ステップＳ１）。そして、使用者が表示画面に従い、キー操作部１８の、例えば、十字キー１８６（図１（Ａ）参照）を操作し、画面上で所望の動画像ファイルを選択し、決定キーを押下すると、制御部１１は表示ドライバ部１６を制御し、表示部１７に選択された動画像ファイルの代表静止画像を表示させる（ステップＳ２）。このとき、制御部１１内の再生バー表示手段では、使用者が選択した動画像ファイルを再生する際に、表示部１７にその動画像データと同時に表示される再生バー３１（図４（Ａ）参照）の表示色を、例えば、オレンジ色にすることを設定する（ステップＳ３）。尚、図４に示すように、再生バー３１はその全長が総再生時間を示しており、砂点のハッチングで示した範囲が、再生が終了した範囲である。つまり、再生バー３１において、砂点のハッチングで示した範囲の先端が、現在、再生している位置を示している。本実施の形態では、砂点のハッチングで示した領域が上述したオレンジ色に表示される範囲と対応している。
【００４２】
使用者は、表示部１７に表示された動画像ファイルの代表静止画像を確認し、例えば、表示部１７に表示された再生アイコンに対応するキー操作部１８のキーを押下する（ステップＳ４）。制御部１１は、第１メモリ１４及び画像伸張処理部２２を制御し、第１メモリ１４内に圧縮して保存されていた動画像ファイルを伸張処理する。そして、制御部１１は、第１メモリ１４及び表示ドライバ部１６を制御し、画像伸張処理部２２により伸張された動画像データを表示部１７に再生させる。このとき、上述したように、制御部１１内の再生バー表示手段では、第１メモリ１４内に圧縮し、保存された動画像ファイルを伸張処理する際に、そのファイルに含まれるヘッダー情報等に基づき再生バー３１に現在の再生位置を表示させる（ステップＳ５）。
【００４３】
使用者は、表示部１７に再生される動画像を確認し、動画像の切り出し始点を指定することを望む場合には、使用者は、例えば、表示部１７に表示された停止アイコンに対応するキー操作部１８のキーを押下する（ステップＳ６のＹＥＳ）。制御部１１は、第１メモリ１４及び表示ドライバ部１６を制御し、表示部１７に一時停止された画像を表示させる（ステップＳ７）。使用者は、一時停止した画像を確認し、動画像の切り出し始点を指定するため、動画像切り出し始点を確定する実行キーを押下すると（ステップＳ８のＹＥＳ）、制御部１１は、指定された始点後の再生範囲を表示する再生バーの表示色を、例えば、青色にすることを設定する（ステップＳ９）。一方、使用者は、一時停止した画像を確認し、動画像の切り出し始点を確定する実行キーを押下せず（ステップＳ８のＮＯ）、使用者は、例えば、表示部１７に表示された６．キャンセル機能（図４（Ｂ）参照）に対応するキー操作部１８のキーを押下すると（ステップＳ１０）、再び、表示部１７には、動画像及び再生バーが表示される（ステップＳ５）。尚、この場合には、再生バーの表示色はオレンジ色のままである。
【００４４】
切り出し始点を設定後、使用者は、例えば、表示部１７に表示された再生アイコン３４（図４（Ｃ）参照）に対応するキー操作部１８のキーを押下すると（ステップＳ１１）、制御部１１は、表示ドライバ部１６を制御し、一時停止後の動画像データを表示部１７に再生させる（ステップＳ１２）。このとき、上述したように、制御部１１内の再生バー表示手段は、再生バー３１には青色の表示色により現在の再生位置を表示させる。
【００４５】
使用者は、表示部１７に再生される動画像を確認し、動画像の切り出し終点を指定することを望む場合には、使用者は、例えば、表示部１７に表示された停止アイコン３８（図５（Ａ）参照）に対応するキー操作部１８のキーを押下すると（ステップＳ１３のＹＥＳ）、制御部１１は表示ドライバ部１６を制御し、表示部１７に一時停止された画像を表示させる（ステップＳ１４）。使用者は、一時停止した画像を確認し、動画像の切り出し終点を指定するため、切り出し終点を確定する実行キーを押下すると（ステップＳ１５のＹＥＳ）、制御部１１内の画像切り出し手段は、切り出し始点の設定がされているか、否かを判断する。そして、制御部１１内の画像切り出し手段が、切り出し始点の設定がされていると判断した場合には（ステップＳ１６のＹＥＳ）、制御部１１内の画像切り出し手段は、第１メモリ１４及び画像圧縮処理部２１を制御し、指定範囲内の動画像データを新たに作成する（ステップ１７）。制御部１１内の画像切り出し手段は、新たに作成した動画像データを画像圧縮処理部２１に送り、圧縮処理をした後、ヘッダー情報等を付けて新たな圧縮された動画像ファイルとして第２メモリ１５へと保存させる（ステップ１８）。
【００４６】
一方、使用者が、例えば、表示部１７に表示された停止アイコンに対応するキー操作部１８のキーを押下しない場合には（ステップＳ１３のＮＯ）、制御部１１は、表示部１７にそのまま動画像を再生させる。また、使用者は、一時停止した画像を確認し、動画像の切り出し終点を確定する実行キーを押下せず（ステップＳ１５のＮＯ）、使用者は、例えば、表示部１７に表示された６．キャンセル機能（図４（Ｂ）参照）に対応するキー操作部１８のキーを押下すると（ステップＳ１９）、制御部１１は、再び、表示部１７に一時停止後の動画像及び再生バーを表示させる（ステップＳ１２）。尚、この場合には、再生バーの表示色は青色のままである。
【００４７】
また、ステップＳ１６において、制御部１１内の画像切り出し手段が、切り出し始点の設定がされていないと判断した場合には（ステップＳ６のＮＯ、ステップＳ１６のＮＯ）、制御部１１は、ステップＳ１５において、使用者の切り出し終点を確定する実行キーを押下する操作を無効とさせる（ステップＳ２０）。そして、制御部１１は、一時停止後の画像及び再生バーを表示させる（ステップＳ５）。尚、この場合には、再生バーの表示色はオレンジ色のままである。
【００４８】
ステップＳ１８において、新たに作成した動画像ファイルを第２メモリ１５に保存した後には、制御部１１内の再生バー表示手段は、再生バーの表示色を、再び、オレンジ色で表示するように設定する（ステップＳ２１）。そして、使用者が、例えば、表示部１７に表示された再生アイコンに対応するキー操作部１８のキーを押下すると（ステップＳ２２のＹＥＳ）、制御部１１は、第１メモリ１４、表示ドライバ部１６を制御し、一時停止後の動画像データを表示部１７に再生させる（ステップ５）。このとき、上述したように、制御部１１内の再生バー表示手段は、再生バーにはオレンジ色の表示色により現在の再生位置を表示させる。
【００４９】
一方、使用者が、例えば、表示部１７に表示された再生アイコン４０（図６（Ｂ）参照）に対応するキー操作部１８のキーを押下せず（ステップＳ２２のＮＯ）、更に、終了アイコン（図６（Ｂ）参照）に対応するキー操作部１８のキーを押下すると（ステップＳ２３のＹＥＳ）、動画像ファイルモードが終了し、携帯電話機１は待受モードとなり、表示部１７には待受画面が表示される。また、使用者が、終了アイコン（図６（Ｂ）参照）に対応するキー操作部１８のキーを押下しない場合には（ステップＳ２３のＮＯ）、表示部１７には、一時停止画面が表示されたままである。
【００５０】
次に、図４〜図６を用いて、具体的に、携帯電話機１の表示部１７に表示された画像及び再生バーについて説明する。
【００５１】
図４（Ａ）では、図３のステップＳ７における動画像の一時停止画面を示している。本実施の形態では、例えば、携帯電話機１の表示部１７の上部２／３程度の領域に動画像が表示される。そして、表示部１７の動画像の下には、再生バー３１が表示され、再生バー３１の全長は、選択された動画像データの総再生時間に対応している。また、図では、再生バー３１に砂点のハッチングで示した範囲が、動画像データの総再生時間に対し、現在の再生位置を示している。つまり、再生バー３１の砂点のハッチングで示した範囲は再生の終了した範囲であり、再生バー３１の白抜きで示した範囲は未再生の範囲である。
【００５２】
一方、本実施の形態では、表示部１７の再生バー３１の下には、現在の再生時間及び総再生時間が、デジタル表示３２される。そして、表示部１７のデジタル表示３２の下には、例えば、動画像を最初から再生させる先頭アイコン３３、一時停止画面を、再び、再生させる再生アイコン３４及び図４（Ｂ）に示す映像編集画面を表示させるメニューアイコン３５が表示される。これらのアイコン３３、３４、３５は、図１（Ａ）に示すキー操作部１８に対応しており、例えば、先頭アイコン３３とメールキー１８４、再生アイコン３４とシャッターキー１８１、メニューアイコン３５とカメラキー１８２とが対応している。そして、使用者が、表示部１７に一時停止された画像を確認し、キー操作部１８を操作することで、携帯電話機１では、上述したそれぞれの動作が行われる。
【００５３】
更に、本実施の形態では、表示部１７に表示された一時停止画面を確認し、所望の切り出し始点、切り出し終点の位置を決定するために、画像の早送り、巻戻し、コマ送り、コマ戻しを行うことが出来る。例えば、図１（Ａ）に示すように、キー操作部１８の十字キー１８６がその機能に対応し、使用者は、十字キー１８６の上キーで動画像の早送り、下キーで動画像の巻戻し、右キーで動画像のコマ送り、左キーで動画像のコマ戻しを行うことができる。そのことで、使用者は、図４（Ａ）に示す一時停止画面を確認した後、所望の画像に変更することができるので、所望の静止画像を表示部１７に表示した後に、図４（Ｂ）を用いて後述する機能を用いることが出来る。尚、本実施の形態では、この画像の早送り、巻戻し、コマ送り、コマ戻しは、再生中にも行うことが出来る。
【００５４】
図４（Ｂ）では、図３のステップＳ８における動画像の切り出し始点、終点等を指示する映像編集画面を示している。本実施の形態では、この映像編集画面において、図３のフローチャートを用いて上述したように、動画像の切り出し始点及び切り出し終点を指定することができる。また、本実施の形態では、その他に、例えば、一時停止している静止画像を切り取り保存できる静止画キャプチャ機能、一時停止している画像の前部分の動画像データを消去することができる前部分消去機能、一時停止している画像の後部分の動画像データを消去することができる後部分消去機能、この映像編集画面から、再び、一時停止後から動画像の再生を行うキャンセル機能を備えている。そして、使用者が、表示部１７に表示された映像編集画面を確認し、図示した１〜６の機能を選択し、決定アイコン３６に対応するキー操作部１８、例えば、シャッターキー１８１（図１（Ａ）参照）を押下すると、携帯電話機１はその機能に基づき動作する。
【００５５】
尚、本実施の形態では、上述した６．キャンセル機能は、図３のステップＳ１０及びＳ１９に対応しているが、この実施形態に限定する必要はない。例えば、後述する図４（Ｃ）に示すように、一停止画面に戻った後に、使用者が再生アイコン３４に対応するキー操作部１８、例えば、シャッターキー１８１（図１（Ａ）参照）を押下することで、動画像を、再び、再生させても良い。
【００５６】
図４（Ｃ）では、図３のステップＳ１１及びＳ１５における画面を表示し、図４（Ｂ）に示す映像編集画面で、例えば、１〜５に示す機能を指定した場合に表示される。そして、本実施の形態では、使用者が再生アイコン３４に対応するキー操作部１８、例えば、シャッターキー１８１（図１（Ａ）参照）を押下することで、動画像を、再び、再生させる。
【００５７】
次に、図５（Ａ）では、図３のステップＳ１２における動画像の再生画面を示しており、且つ、図４（Ｂ）において、２．動画像切り出し（始点）の設定を行っている。本実施の形態では、例えば、携帯電話機１の表示部１７の上部２／３程度の領域に動画像が再生され、表示される。そして、表示部１７の動画像の下には、再生バー３１が表示され、再生バー３１の全長が選択された動画像データの総再生時間に対応している。また、図５（Ａ）では、再生バー３１に砂点のハッチング及び斜線のハッチングが示され、両者のハッチングは、切り出し始点設定位置３７を境界にして、連続して表示されている。そして、両者のハッチングを加えた範囲が再生終了範囲であり、また、動画像データの総再生時間に対し、現在の再生位置を示している。尚、本実施の形態では、斜線のハッチングが示された範囲が、上述した青色に表示される範囲と対応している。
【００５８】
つまり、本実施の形態では、再生バー３１に対し、切り出し始点設定位置３７を境界にして、切り出し始点の設定前と設定後では異なる表示色を用いて、現在の再生位置を示すことに特徴を有する。そのことで、本実施の形態の携帯電話機１では、再生バー３１を用いて動画像の現在の再生位置を可視的に判断することを可能とする一方で、切り出し範囲の表示色を変えることで、使用者が切り出し範囲を可視的に容易に判断することが可能となる。その結果、使用者は、表示部１７に同時に再生された動画像を鑑賞しながら、再生バー３１で自分が全体のどの範囲の動画像を切り出すのかを容易に判断することが出来る。
【００５９】
また、本実施の形態では、携帯電話機１の表示部１７の下部には総再生時間がデジタル表示されており、且つ、再生バー３１の全長が総再生時間に対応している。そのことで、使用者は、再生される動画像に対し、使用者自身が切り出すことを望む範囲の動画像の総再生時間を可視的に容易に判断することが出来る。
【００６０】
また、本実施の形態では、上述したように、１つの動画像データから複数の動画像データを作成し、別ファイルとして保存することが可能である。そして、再生バー３１において、使用者が、切り出し始点及び切り出し終点を指定し、切り出すことを指示した範囲は表示色を変えて表示する。そのことで、使用者は、同一の動画像データからいくつの動画像データを切り出したかを、再生バー３１を確認することで、容易に判断すること出来る。
【００６１】
上述したように、本実施の形態の携帯電話機１では、表示部１７に表示される動画像データの再生バー３１において、使用者が切り出すことを望む範囲を表示色を変え、可視的に容易に判断出来るようにすることに特徴を有する。そして、本実施の形態では、図５（Ａ）に示すように、再生バー３１の表示色を変えることで、その目的を達成する場合に限定する必要はない。例えば、図５（Ｂ）に示すように、切り出し始点設定位置３７を境界として、再生バー３１の表示幅を変更することで、使用者が、可視的に判断することが可能であり、上述した効果を得ることが出来る。尚、図５（Ｂ）において、使用者が切り出すことを望む範囲をその他の範囲より広く表示したが、その幅を狭く表示する場合でも良い。
【００６２】
また、例えば、図５（Ｃ）に示すように、図５（Ａ）及び図５（Ｂ）の場合を組み合わせて、切り出し始点設定位置３７を境界として、再生バー３１の表示色及び表示幅を変更することで、使用者が、可視的に判断することが可能であり、上述した効果を得ることが出来る。
【００６３】
次に、図６（Ａ）では、図３のステップＳ１７における動画像の切り出し処理画面を示している。図６（Ａ）に示す画面が表示される為には、先ず、図５（Ａ）において、使用者が再生中の動画像を確認し、動画像を切り出す範囲を決め、表示部１７に表示された停止アイコン３８に対応するキー操作部１８を押下する。次に、使用者の操作により、図４（Ｂ）に示す映像編集画面が表示部１７に表示され、使用者が、その一時停止画面を確認し、３．動画像切り出し（終点）を選択し、決定アイコン３６に対応するキー操作部１８を押下する。そうすると、表示部１７には、図６（Ａ）に示す画面が表示される。そして、使用者は、表示部１７に表示された画面を確認し、１．ＹＥＳを選択し、決定アイコン３９に対応するキー操作部１８を押下すると、動画カッター機能が動作し、使用者の所望の範囲の動画像ファイルが作成され、第２メモリ１５に保存される。
【００６４】
その後、携帯電話機１の表示部１７には、図６（Ｂ）に示す画面が表示され、使用者は、再生アイコン４０または終了アイコン４１に対応するキー操作部１８を操作する。そして、使用者が再生アイコン４０に対応するキー操作部１８を押下すると、一時停止していた位置から動画像が、再び、再生され、上述した動画像を切り出す機能を繰り返し行うことができる。一方、使用者が終了アイコン４１に対応するキー操作部１８を押下すると、動画像ファイルモードが終了し、携帯電話機１は、待受けモードとなる。
【００６５】
一方、使用者が、表示部１７に表示された画面を確認し、２．ＮＯを選択し、決定アイコン３９に対応するキー操作部１８を押下すると、動画カッター機能が動作せず、図４（Ｂ）に示す映像編集画面が表示部１７に表示される。
【００６６】
最後に、図７を用いて、携帯電話機１外部の外部メモリ等に保存された動画像データを携帯電話機１で再生し、上述した、動画像切り出し機能を用いる場合について説明する。
【００６７】
図２を用いて上述したように、本実施の形態の携帯電話機１では、外部メモリに保存した画像データを取り扱うことが可能であり、そのことで、携帯電話機１実機のメモリ容量に制限を受けることなく、種々のデータ容量の画像データを扱うことが出来る。
【００６８】
図７（Ａ）では、図３のステップＳ１２における動画像の再生画面を示しており、且つ、図４（Ｂ）において、２．動画像切り出し（始点）の設定を行っている。図示の如く、この場合には、表示部１７のデジタル表示３２にも示しているように、総再生時間が１時間１５分であり、再生バー３１の全長もその総再生時間に対応している。そして、図５（Ａ）に示したように、この場合においても、再生バー３１に砂点のハッチング及び斜線のハッチングが示され、両者のハッチングは、切り出し始点設定位置３７を境界にして、連続して表示されている。そして、両者のハッチングを加えた範囲が再生終了範囲であり、また、動画像データの総再生時間に対し、現在の再生位置を示している。
【００６９】
しかしながら、図７（Ａ）では、表示部１７に表示された再生バー３１において、総再生時間が１時間１５分と膨大であるため、切り出し範囲の表示色を変えても、その変化を可視的に判断しづらい場合がある。特に、使用者が、切り出し始点を設定した後は、再生バー３１全体に対する割合が小さく、この問題が顕著である。そこで、本実施の形態では、図７（Ｂ）に示すように、表示部１７の再生バー３１の下部に切り出しバー４２を表示することで、画像データの切り出し範囲の設定を、使用者が可視的に容易に判断することを可能としている。つまり、本実施の形態では、総再生時間が一定時間以上の場合には、図４（Ｂ）に示す映像編集画面において、使用者が、２．動画像切り出し（始点）を設定すると、切り出しバー４２を表示部１７に表示させる。そのことで、使用者は、総再生時間に対する切り出し範囲を判断でき、また、現在、切り出し範囲を設定していることも可視的に容易に判断することができる。
【００７０】
尚、本実施の形態では、表示部に表示される再生バーにおいて、動画像切り出し始点を設定前後で表示色を変更し、または、その表示幅を変更することで、使用者が動画像の切り出し範囲を可視的に、容易に判断できることを可能としたが、本実施の形態に限定される必要はなく、使用用途に応じて種々の設計変更も可能である。その他、本発明の要旨を逸脱しない範囲で、種々の変更が可能である。
【００７１】
【発明の効果】
上述したように、第１に、本発明の携帯機器では、その表示部に動画像データを表示するのと同時に、その全長が該動画像データの総再生時間に対応した再生バーを表示する。そして、本発明の携帯機器は、該再生バーにおいて、現在の再生位置を表示する一方で、使用者が別ファイルとして保存することを望む範囲を表示色を変更し、あるいは、再生バーの形状を変更しながら表示する。そのことで、使用者は、表示部に再生される動画像を鑑賞しながら、再生バーを確認することで、全体の動画像データに対し、別ファイルにして保存する動画像データの位置を可視的に容易に判断できる。
【００７２】
第２に、本発明の携帯機器では、第１の効果で上述したように、表示部に表示される再生バーにおいて、現在の再生位置を表示する一方で、使用者が別ファイルとして保存することを望む範囲を表示色を変更し、あるいは、再生バーの形状を変更しながら表示する。そして、本発明の携帯機器では、動画像切り出し機能を同一の動画像データに対し、複数回行うことができる。そのことで、使用者は、表示部に表示された再生バーを確認することで、全体の動画像データのどの範囲を、何ヶ所、切り出し機能により別ファイルとして保存したかを可視的に容易に判断できる。
【図面の簡単な説明】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明する概略機能ブロック図である。
【図３】同携帯電話機における動画像ファイルモード起動時の動作制御を説明するフローチャートである。
【図４】同携帯電話機における動画像を切り出す際の切り出し始点及び終点を設定する際の説明図である。
【図５】同携帯電話機における動画像の再生時に表示される再生バーを説明するための説明図である。
【図６】同携帯電話機における使用者が指定した範囲の動画像を切り出す際の動作を説明するための説明図である。
【図７】同携帯電話機における動画像の再生時に表示される再生バーを説明するための説明図である。
【符号の説明】
１          カメラ付携帯電話機
２          スピーカー
３          マイク
４          第２表示部
５          背面キー
１１          制御部
１２          撮像部
１３          画像処理部
１４          第１メモリ
１５          第２メモリ
１６          表示ドライバ部
１７          表示部
１８          キー操作部
１９          撮影指示実行ボタン
２０          バックライト
２１          画像圧縮処理部
２２          画像伸張処理部
２３          外部画像入力部
２４          アンテナ
２５          無線部
２６          通信制御部
２７          画像切換え制御部
２８          外部表示出力部
３１          再生バー
３２          デジタル表示
３７          切り出し始点設定位置
４２          切り出しバー
【図１】
2004297399.tif 000003
【図２】
2004297399.tif 000004
【図３】
2004297399.tif 000005
【図４】
2004297399.tif 000006
【図５】
2004297399.tif 000007
【図６】
2004297399.tif 000008
【図７】
2004297399.tif 000009